(57)【要約】【課題】撮像装置において撮像した画像に、汎用性のある形式でニュース情報を記録できるようにする。【解決手段】被写体を撮像して撮像画像を生成する撮像手段と、現在時刻を計時する計時手段と、前記計時手段により計時される現在時刻を、前記撮像手段により前記撮像画像が生成された時刻を示す撮像時刻として、前記撮像画像と共に記録媒体に記録するよう制御する記録制御手段と、前記現在時刻に基づくニュース情報を含むニュース情報画像を外部装置から受信する受信手段とを有し、前記記録制御手段は、前記受信手段により受信されたニュース情報画像に、前記撮像手段により生成された撮像画像のファイルネームと同じ所定の規則に従って生成される番号を含むファイルネームを対応づけて記録媒体に記録するよう制御する。【選択図】図１
2015033001.tif 000002
【特許請求の範囲】
【請求項１】
被写体を撮像して撮像画像を生成する撮像手段と、
現在時刻を計時する計時手段と、
前記計時手段により計時される現在時刻を、前記撮像手段により前記撮像画像が生成された時刻を示す撮像時刻として、前記撮像画像と共に記録媒体に記録するよう制御する記録制御手段と、
前記現在時刻に基づくニュース情報を含むニュース情報画像を外部装置から受信する受信手段とを有し、
前記記録制御手段は、前記受信手段により受信されたニュース情報画像に、前記撮像手段により生成された撮像画像のファイルネームと同じ所定の規則に従って生成される番号を含むファイルネームを対応づけて記録媒体に記録するよう制御することを特徴とする撮像装置。
【請求項２】
前記記録制御手段は、
前回生成された撮像画像に対応するニュース情報画像の受信が完了していない場合、前記所定の規則に従って次に生成される番号を保持するよう制御し、
前記番号が保持されている状態で前回生成された撮像画像に対応するニュース情報画像の受信が完了した場合、前記保持されている番号を含むファイルネームを前回生成された撮像画像に対応するニュース情報画像に対応づけて記録媒体に記録することを特徴とする請求項１に記載の撮像装置。
【請求項３】
前記所定の規則に従って生成される番号は、生成される度により大きな値になることを特徴とする請求項１または２に記載の撮像装置。
【請求項４】
前記所定の規則に従って順に生成される複数の番号は連番となることを特徴とする請求項１乃至３のいずれか１項に記載の撮像装置。
【請求項５】
前記記録制御手段は、
番号を保持している状態で前記撮像画像にファイルネームを対応づける場合、前記保持されている番号より大きい番号を含むファイルネームを対応づけることを特徴とする請求項３または４に記載の撮像装置。
【請求項６】
前記記録制御手段は、
番号を保持している状態で前記撮像画像にファイルネームを対応づける場合、前記記録媒体に記録されている画像のファイルネームに含まれる番号および前記保持されている番号のうち最も大きい番号の次の番号を含むファイルネームを対応づけることを特徴とする請求項４に記載の撮像装置。
【請求項７】
前記記録制御手段は、
前記保持された番号と同じ番号の画像が記録媒体に記録されている場合、その画像のファイルネームに含まれる番号をより大きい番号に変更することを特徴とする請求項５または６に記載の撮像装置。
【請求項８】
前記記録制御手段は、
撮像画像を生成する指示が受け付けられた際に、前回生成された撮像画像に対応するニュース情報画像の受信が完了していない場合、前記所定の規則に従って生成される次の番号をダミー画像に対応づけることで保持することを特徴とする請求項１乃至７のいずれか１項に記載の撮像装置。
【請求項９】
前記記録制御手段は、
前記ダミー画像が前記記録媒体に記録されている状態で前回生成された撮像画像に対応するニュース情報画像の受信が完了した場合、前記ダミー画像に対応づけられているファイルネームに含まれる番号と同じ番号を前回生成された撮像画像に対応するニュース情報画像に対応づけて、前記ダミー画像の代わりに記録媒体に記録することを特徴とする請求項８に記載の撮像装置。
【請求項１０】
前記撮像手段により前記撮像画像が生成された位置を示す撮像位置を取得する位置取得手段を更に有し、
前記受信手段は、前記撮像時刻および前記撮像位置の両方に基づくニュース情報画像を前記外部装置から受信することを特徴とする請求項１乃至９のいずれか１項に記載の撮像装置。
【請求項１１】
前記撮像手段により前記撮像画像が生成された方向を示す撮像方向を取得する方位取得手段を更に有し、
前記受信手段は、前記撮像時刻、前記撮像位置、および前記撮像方向に基づくニュース情報画像を前記外部装置から受信することを特徴とする請求項１０に記載の撮像装置。
【請求項１２】
前記外部装置から受信するニュース情報画像は、アクセス数がより多い供給源のニュース情報画像であることを特徴とする請求項１乃至１１のいずれか１項に記載の撮像装置。
【請求項１３】
前記ニュース情報画像は、前記撮像手段により生成される撮像画像の解像度に基づく解像度であることを特徴とする請求項１乃至１２のいずれか１項に記載の撮像装置。
【請求項１４】
前記記録制御手段は、
前記外部装置により送信されるニュース情報画像を前記撮像画像と併せて記録媒体に記録するか否かをユーザへ問い合わせることを特徴とする請求項１乃至１３のいずれか１項に記載の撮像装置。
【請求項１５】
前記撮像画像を表示部に表示するよう制御する表示制御手段を更に有し、
前記表示制御手段は、前記撮像画像と前記ニュース情報画像とを一画面に表示するよう制御することを特徴とする請求項１乃至１４のいずれか１項に記載の撮像装置。
【請求項１６】
被写体を撮像して撮像画像を生成する撮像ステップと、
撮像ステップで前記撮像画像が生成された時刻を示す撮像時刻を取得する取得ステップと、
前記撮像時刻に基づくニュース情報画像を外部装置から受信する受信ステップと、
前記撮像ステップにより生成された撮像画像および前記受信ステップにより受信されたニュース情報画像を関連付けて記録媒体に記録するよう制御する記録制御ステップと、
を有することを特徴とする撮像装置の制御方法。
【請求項１７】
コンピュータを、請求項１乃至１５のいずれか１項に記載の撮像装置として機能させることを特徴とするプログラム。
【発明の詳細な説明】
【技術分野】
【０００１】
本発明は撮像装置及び撮像装置の制御方法に関し、特に、ネットワーク接続が可能である撮像装置において画像を撮像した際に、撮像時に関連する情報を取得及び保持するために用いて好適な技術に関する。
【背景技術】
【０００２】
従来、撮像装置において撮像した画像に、撮像時に関連する様々な情報を付加する場合、撮像時にネットワーク上のデータベースへアクセスして情報を取得し、撮像画像のメタデータとして関連付けて記録することが行われていた。
【０００３】
例えば、特許文献１では、ネットワーク接続可能なカメラにおいて撮影した際に、ネットワークから撮影当時のウエブ上のニュース情報を取得し、撮像画像のメタデータとして情報を付加するという技術が開示されている。これにより、撮像時の時代背景や当時のニュースや映像を撮像画像と併せてユーザに表示することが可能となり、撮影画像を閲覧しているときに、撮影当時を思い起こさせることが容易となる。
【先行技術文献】
【特許文献】
【０００４】
【特許文献１】特開２００２−３２０１８５号公報
【発明の概要】
【発明が解決しようとする課題】
【０００５】
しかしながら、前述の特許文献に開示された従来技術では、ＨＴＭＬの情報のまま記録するため、画像再生装置にて再生する際に、ＨＴＭＬの解釈のために専用の処理や部材が必要となり、汎用性に欠ける問題点があった。
本発明は前述の問題点に鑑み、撮像装置において撮像した画像に、汎用性のある形式でニュース情報を記録できるようにすることを目的とする。
【課題を解決するための手段】
【０００６】
本発明の撮像装置は、被写体を撮像して撮像画像を生成する撮像手段と、現在時刻を計時する計時手段と、前記計時手段により計時される現在時刻を、前記撮像手段により前記撮像画像が生成された時刻を示す撮像時刻として、前記撮像画像と共に記録媒体に記録するよう制御する記録制御手段と、前記現在時刻に基づくニュース情報を含むニュース情報画像を外部装置から受信する受信手段とを有し、前記記録制御手段は、前記受信手段により受信されたニュース情報画像に、前記撮像手段により生成された撮像画像のファイルネームと同じ所定の規則に従って生成される番号を含むファイルネームを対応づけて記録媒体に記録するよう制御することを特徴とする。
【発明の効果】
【０００７】
本発明によれば、汎用性のある形式でニュース情報を撮像画像とともに記録することができ、専用の処理を行ったり専用部材を用意したりすることなく、撮影画像を閲覧しているときに、撮影当時を思い起こさせことができる。
【図面の簡単な説明】
【０００８】
【図１】（ａ）は実施形態における撮像装置の内部構成を示す図、（ｂ）は実施形態における外部サーバの内部構成を示す図である。
【図２】（ａ）は実施形態における撮像装置の動作を示すフローチャート、（ｂ）は実施形態における外部サーバの動作を示すフローチャートである。
【図３】撮像画像とニュース情報画像を２枚同時に表示した例を示した図である。
【図４】記録媒体の記録領域の一部を示す概念図である。
【図５】実施形態における外部サーバが持つニュース情報テーブルを説明する図である。
【発明を実施するための形態】
【０００９】
以下に、本発明の実施形態について、添付の図面を用いて詳細に説明する。
なお、以下に説明する実施形態は、本発明の実現手段としての一例であり、本発明が適用される装置の構成や各種条件によって適宜修正又は変更されてもよい。また、各実施形態は適宜組み合わされることも可能である。
【００１０】
＜第１の実施形態＞
本実施形態では、撮像及びネットワーク上の外部装置より画像を受信し、受信した画像ファイルに対してある規則に則って命名することができる撮像装置を例にして説明する。
なお、本実施形態では、撮像装置について説明するが、本発明は撮像装置に限定されるものではなく、被写体を撮像して撮像画像を生成する機能を有する種々の装置に適用することができる。すなわち、画像情報を保持でき、かつ外部装置から送信された画像の保持し、保持した画像に対して、ルールに則った命名を行うことができる情報処理装置であればよい。たとえば、プロジェクタ、テレビ、ディスプレイ、携帯電話、スマートフォン、通信端末、ノートパソコン、ビデオカメラ等であってもよい。
【００１１】
以下、図１（ａ）及び図１（ｂ）を参照して、本発明の第1の実施形態による撮像装置１００と外部サーバ１５０について説明する。
図１（ａ）において、撮像部１０１は、撮影レンズにより取り込まれた被写体の光学像をＣＣＤセンサやＣＭＯＳセンサ等の撮像素子により画像信号に変換し、アナログデジタル変換をして、画像処理部１０２に送信する。
【００１２】
画像処理部１０２は、入力されたデジタル画像信号に、設定値に基づいてホワイトバランスや色、明るさなどを調整する画質調整処理を行い、メモリ１０４、後述の映像出力部１０９、表示制御部１０５、制御部１１０に送信する。
符号化処理部１０３は、メモリ１０４に一時的に記憶された画像信号を読み出して画像信号の符号化などを行い、圧縮画像データ等を生成し、記録再生部１０７に送信する。
【００１３】
記録再生部１０７は、記録媒体１０８に対して、符号化処理部１０３で生成された圧縮画像データ、その他撮影に関する制御データ等を記録する。ここで、記録媒体１０８は、圧縮画像データ等を記録することができれば、磁気ディスク、光学式ディスク、半導体メモリなどのあらゆる方式の記録媒体であってよく、複数の記録媒体であってもよい。記録再生部１０７は、記録媒体１０８に記録された圧縮画像データ、各種データ、プログラムの読み出しや再生を行なう。そして、読み出した圧縮画像データを符号化処理部１０３に送信する。
【００１４】
符号化処理部１０３は、圧縮画像データを一時的にメモリ１０４に記憶させ、所定の手順で復号し、復号化した画像信号を映像出力部１０９や表示制御部１０５に送信する。映像出力部１０９は、例えば映像出力端子からなり、接続された外部ディスプレイ等に映像を表示させるために画像信号を送信する。映像出力部１０９は、例えばＨＤＭＩ（Ｈｉｇｈ−Ｄｅｆｉｎｉｔｉｏｎ Ｍｕｌｔｉｍｅｄｉａ Ｉｎｔｅｒｆａｃｅ）（登録商標）端子のような端子であってもよい。
【００１５】
表示制御部１０５は、符号化処理部１０３から送信された画像信号や画像処理部１０２から送信された画像信号に係る映像や、撮像装置１００の操作を行うための操作画面（メニュー画面）等を表示部１０６に表示させる表示制御を行う。表示部１０６は、例えば、液晶ディスプレイ、有機ＥＬディスプレイ、電子ペーパー等の表示デバイスであってもよい。また、操作部１１１は、ボタンやダイヤルなどからなり、ユーザの操作に応じて、指示信号を制御部１１０に送信する。
【００１６】
制御部１１０は、操作部１１１から送信された指示信号に基づいて、撮像装置１００の各ブロックに制御信号を送信することで、各ブロックの動作を制御する。なお、制御部１１０により実行される制御は、複数のＣＰＵにより実現されるようにしてもよい。
【００１７】
操作部１１１は、例えば、電源ボタン、記録開始ボタン、メニュー表示ボタン、決定ボタン、カーソルキー、表示部１０６の任意の点を指定するためのポインティングデバイス、タッチパネル等からなる。制御部１１０は、各種処理（プログラム）を実行するための例えばＣＰＵ（ＭＰＵ）、メモリ（ＤＲＡＭ、ＳＲＡＭ）などからなる。
バス１１４は、各種データ、制御信号などを撮像装置１００の各ブロックに送るためのものである。
【００１８】
通信部１１２は、撮像装置１００と外部装置との間で通信を行うもので、例えば、画像信号、圧縮画像データなどのデータの送受信を行なう。また、撮影開始や終了コマンド等の、撮影に係る制御信号や、その他の情報を送信したり受信したりする。通信部１１２は、例えば、赤外線通信モジュール、Ｂｌｕｅｔｏｏｔｈ（登録商標）通信モジュール、無線ＬＡＮ通信モジュール、ＷｉｒｅｌｅｓｓＵＳＢ等の無線通信モジュールである。本実施形態においては、外部サーバと接続するため、無線LAN通信モジュールとする。
【００１９】
撮像装置１００と外部サーバ１５０が接続を確立する際は、アクセスポイントから周期的に送信されるビーコンと称する報知信号を撮像装置１００が受信し、ネットワークの検出をする。これにより、撮像装置１００はネットワークを介して、インターネット上に存在する外部サーバ１５０へのアクセスを行うことができ、情報のやりとりが可能となる。
【００２０】
方位取得部１１６は、撮像装置１００がどの方角を向いているかを検出し、方位情報を出力する。この処理は方位取得処理の一例である。方位取得部１１６は、例えば電子コンパスで構成される。電子コンパスとは、地磁気センサ、方位センサなどとも呼ばれ、地球の地磁気を検出することができるデバイスの総称である。電子コンパスは、地磁気を２次元、または、３次元で検出し、地磁気に対して、電子コンパスのデバイス自体がどの方角を向いているかを検出することができる。
【００２１】
この方位情報は、定期的に取得され、メモリ１０４に記録される。既にメモリ１０４に方位情報が記録されている場合は、新たに取得した方位情報で上書きする。このような処理により、メモリ１０４には、常に最新の方位情報が保持されることとなる。また、方位取得部１１６は加速度センサを含むよう構成される。なお、方位取得部１１６は、ジャイロセンサ等の動き検出センサ、または電子コンパスと動き検出センサとの組み合わせで構成されてもよい。方位取得部１１６にて取得された方位情報は、制御部１１０の制御に従って外部装置に送信することができる。
【００２２】
位置取得部１１３は、測位処理を行う。測位処理とは、ＧＰＳ衛星から信号を受信し、受信した信号から撮像装置１００の位置を示す位置情報を取得する処理である。位置取得部１１３で取得された位置情報は、制御部１１０の制御に従って外部装置に送信することができる。本実施形態では、位置情報は、緯度・経度の座標で表される。この位置情報は、定期的に取得され、メモリ１０４に記録される。
【００２３】
既にメモリ１０４に位置情報が記録されている場合は、新たに取得した位置情報で上書きする。このような処理により、メモリ１０４には、常に最新の位置情報が保持されることとなる。なお、位置取得部１１３は、例えば加速度センサとＧＰＳとの組み合わせや、携帯電話の基地局といった外部装置などから位置情報を取得する装置で構成されてもよい。
【００２４】
計時部１１５は、現在時刻を計時する。具体的には、計時部１１５は内部レジスタを備え、この内部レジスタに時刻情報を保持する。そして、計時部１１５は、単位時間毎に、内部レジスタに保持されている時刻情報をインクリメントして計時を行う。また、計時部１１５は、制御部１１０からの要求に応じて、時刻情報を撮像装置の現在時刻として出力する。出力された時刻情報は、例えば表示部１０６に表示されたり、通信部１１２を介して外部に送信されたりする。また、撮像画像が生成された時刻を示す撮像時刻として用いられる。
【００２５】
次に、図１（ｂ）を参照して、本実施形態における外部サーバ１５０の主要な構成について説明する。
図１（ｂ）において、外部サーバ１５０はＷｅｂ上にニュースを配信するサーバであり、自装置内に保持しているニュース情報を外部からの要求に応じて画像に加工する機能を備えている。
【００２６】
通信部１５１は、外部サーバ１５０と外部装置との間で通信を行うためのもので、例えば、画像信号、圧縮画像データなどの送受信、外部装置からのリクエストの受け付け、それに対する応答を行う。通信部１５１は、例えば、赤外線通信モジュール、Ｂｌｕｅｔｏｏｔｈ（登録商標）通信モジュール、無線ＬＡＮ通信モジュール、ＷｉｒｅｌｅｓｓＵＳＢ等の無線通信モジュールである。本実施形態においては、外部サーバと接続するため、無線ＬＡＮ通信モジュールとし、撮像装置１００と画像信号や圧縮画像データの送受信を行う。
【００２７】
画像処理部１５２は、後述する記録媒体１５４に蓄積されているニュース情報を元に、撮像装置１００より画像要求を受けたタイミングでニュース情報画像の生成を行う。
制御部１５３は、撮像装置１００より受けた指示に基づいた画像生成指示、解析指示を各部に対し行う。また、記録媒体１５４に記憶されているニュース情報を解析し、ニュース画像生成に必要な情報の抽出を行う。
【００２８】
記録媒体１５４は、外部サーバ１５０の制御部１５３へ命令を与えるコンピュータ・プログラム、及びＷｅｂ配信用のニュースコンテンツを保持する記録媒体である。このニュースコンテンツは、外部装置よりコンテンツページ要求を受けた際に応答として返すニュースコンテンツ情報である。メモリ１５５は、記録媒体１５４に格納されているコンピュータ・プログラムの展開先である。この外部サーバはメモリ１５５上に展開されたプログラムにてセッション管理やリクエスト制御等を行う。
【００２９】
次に、各装置において、本実施形態の装置に特有の動作について説明する。
先ず、撮像装置１００の説明の前に、本実施形態における外部サーバ１５０の概要について説明する。
本実施形態の外部サーバ１５０は、通信部１５１より要求を受けた際に、要求に相当するニュース情報をユーザに配信する情報配信サーバである。ニュース情報は、外部サーバ１５０の記録媒体１５４に蓄積されている。
【００３０】
外部サーバ１５０は、例えばＰＣ等の情報処理装置より、インターネットを介して送信されたコンテンツ取得要求を受信すると、要求されたコンテンツ情報を自装置内の記録媒体１５４から読み出し、該コンテンツ情報をＰＣに対し返送する。さらに、どのコンテンツに対して要求があったか、アクセス履歴情報を集計し、記事コンテンツ毎の参照数、即ちＰＶ（Ｐａｇｅ Ｖｉｅｗ）数として自装置内の記録媒体１５４への記録も行う。これにより、アクセス数がより多い供給源のニュース情報画像を送信することが可能となる。
【００３１】
また、以上の処理は、記録媒体１５４に保持されているコンピュータ・プログラムが外部からのコンテンツ要求等を受けた際に、制御部１５３に対し、所定の処理を行うよう命令されることにより実行されるものである。また、該コンピュータ・プログラムは外部サーバ１５０の起動時にメモリ１５５へ展開され、以降はメモリ１５５上で動作するものである。本実施形態の外部サーバ１５０は以上のように、ニュース情報のようなコンテンツに対する要求を受け、要求元に対し要求に対応したニュース情報画像を返送する。
【００３２】
次に、本実施形態の撮像装置１００及び外部サーバ１５０の動作について、図２（ａ）、（ｂ）、図３を用いて説明する。
図２（ａ）は、本実施形態の撮像装置１００における撮影開始からニュース情報画像受信までの動作を説明するためのフローチャートであり、撮像装置１００の制御部１１０により実現される動作である。
図２（ｂ）は、本実施形態の外部サーバ１５０において、ニュース情報画像要求を受けてから、その要求に対応する画像を返送までの動作を説明するためのフローチャートであり、外部サーバ１５０の制御部１５３により実現される動作である。
【００３３】
先ず、撮像装置１００の操作部１１１の電源スイッチが操作されることにより、撮像装置１００の各部へ電力が供給される。すると、撮像装置１００は撮像可能な状態となり、操作部１１１からユーザ指示が入力されると、撮像や本体設定を行うことが可能となる。この状態において、ユーザは撮像を行う（Ｓ２０１）。
【００３４】
図３に示すように、撮像画像３０１は、撮像装置１００内部の記録媒体１０８に画像データとして記録される。なお、本ステップでは更に、撮像画像のＥｘｉｆ情報に記録するための情報を取得し、撮像画像３０１のＥｘｉｆ情報として併せて記録する。本実施形態では、Ｅｘｉｆ情報に記録するための情報として、撮像日時を示す日時情報、撮像位置を示す位置情報、撮像方向を示す方位情報を、それぞれ計時部１１５、位置取得部１１３、方位取得部１１６から取得し、撮像画像のＥｘｉｆ情報として保持する。これにより、例えば、撮像時刻および撮像位置の両方に基づくニュース情報画像を外部装置から受信することが可能である。なお、計時部１１５はＮＴＰサーバによる補正、または内蔵電池により正確な時刻が保障されているものとする。
【００３５】
その後、Ｅｘｉｆ情報と共に、ニュース画像を取得するのに必要な要求信号を外部サーバ１５０へ送信する（Ｓ２０２）。
次に、Ｓ２０３で、外部サーバ１５０から送信される画像情報の受信待ち状態に入り、受信したか否かの判定を行う。
Ｓ２０３の判定の結果について、先ず、制御部１１０が前回生成された撮像画像に対応するニュース情報画像の受信が完了したと判断した場合について説明する。この場合、処理はＳ２０６に進む。
【００３６】
Ｓ２０６では、制御部１１０は、受信したニュース情報画像を撮像画像３０１と併せて記録媒体１０８へ記録するか否かをユーザへ問い合わせる。問い合わせの結果、保存する（Ｙｅｓ）ならば、Ｓ２０７へ遷移し、制御部１１０は記録制御手段として機能し、ニュース情報画像と撮像画像３０１とを連番にして記録媒体１０８に記録する。
【００３７】
ここで、記録媒体１０８の記録領域の一部を示す概念図を、図４に示す。
図４の例では、記録媒体１０８の記録領域の一部には、既に複数の画像、ＩＭＧ＿００１．ＪＰＧ、ＩＭＧ＿００２．ＪＰＧ、ＩＭＧ＿００３．ＪＰＧが記録されている。ここで、ＩＭＧ＿００３．ＪＰＧは、Ｓ２０１で記録された撮像画像である。
【００３８】
このように、記録媒体１０８に保存される画像データには、所定の規則に従って生成されるファイルネームが付される。ここでは、ＤＣＦ（Ｄｅｓｉｇｎ ｒｕｌｅ ｆｏｒ Ｃａｍｅｒａ Ｆｉｌｅ ｓｙｓｔｅｍ）規格に従って、保存される順番に従った連番を含むファイル番号を用いたファイルネームが画像データに付される。
【００３９】
図４の例の場合、ＩＭＧ＿００４．ＪＰＧというファイルネームがニュース情報画像に付与されることになる。なお、本実施形態では前述の例のように、新しく保存された画像程、大きなファイル番号を用いたファイルネームが付加される。
【００４０】
一方、Ｓ２０６の問い合わせ処理において、ユーザが保持しない選択（Ｎｏ）を行ったならばＳ２０８へ遷移する。Ｓ２０８では、撮像画像のＥｘｉｆ情報のベンダー固有のデータ領域（いわゆるメーカーノートの領域）にニュース情報画像が同時に保存されなかったことを示す情報を書き込み、処理を完了する。
以上が、Ｓ２０３で、制御部１１０が受信を完了したと判断した場合についての説明である。
【００４１】
次に、Ｓ２０３で、制御部１１０が前回生成された撮像画像に対応するニュース情報画像の受信を完了していないと判断した場合について説明する。
この場合、処理はＳ２０４へ遷移し、制御部１１０は予め設定されているタイムアウトを超えたか否かを判定する。タイムアウトを超えていないと判定された場合（Ｎｏ）、撮像装置１００はＳ２０３とＳ２０４の処理を繰り返し、受信を待つ。
【００４２】
タイムアウトを超えていると判定された場合、Ｓ２０５へ遷移して欠番用のファイル（例えばダミー画像）に対し、ニュース情報画像に割り当てる予定の画像ファイル名を付与する。例えば、図４の例の場合、次にＩＭＧ＿００４．ＪＰＧという名前が欠番用のファイルに割り当てられる。
【００４３】
このように、欠番用のファイルにファイルネームを割り当てることで、外部サーバ１５０へ再度アクセスできるようになった際に、受信されるニュース情報画像に割り当てるためのファイルネームを保持する。これにより、ニュース情報画像が受信される前に、更に撮像画像が生成された場合、その撮像画像には、ＩＭＧ＿００４．ＪＰＧを超えて、ＩＭＧ＿００５．ＪＰＧという名前が割り当てられることになる。
【００４４】
なお、タイムアウトを超えていると判定された場合、本フローチャートの終了後、外部サーバ１５０との通信が不可な状態や場所に撮像装置１００が位置していると判断する。そして、タイムアウト後からは、予め定められた所定の時間間隔が経過する度に外部サーバ１５０への接続を試みるポーリング処理を開始する。このポーリング処理により、外部サーバ１５０へ再度アクセスできたならば、ニュース情報画像の取得シーケンスを再開する。つまり、Ｓ２０６からの処理を再開する。
【００４５】
このようにして、欠番用ファイルが生成された状態でニュース情報画像が取得された場合には、前述した欠番用ファイルを破棄し、該欠番用ファイルに付与していたファイル名を、取得したニュース情報画像に付与し直す。なお、ポーリング処理の時間間隔は、ユーザ操作によるメニューの選択等を通じて、予め設定しておくことができるようにしてもよい。
以上が撮像装置１００の動作である。
【００４６】
次に、外部サーバ１５０側が撮像装置１００よりニュース情報画像取得要求を受けた際の制御フローについて、図２（ｂ）を参照しながら説明する。ここでは、前提として、ユーザへニュース情報画像を保存するか問い合わせた結果、保存する場合を選択した場合について説明する。
【００４７】
外部サーバ１５０は操作部（不図示）の電源スイッチが操作されることにより電源が投入され、各部へ電源から電力が供給される。電力が供給された後、記録媒体１５４に格納されているニュース配信サーバとして動作するためのプログラムがメモリ１５５へ展開される。以降、通信部１５１より受信する要求やユーザ操作による入力を受け付けると、前記要求・入力に応じた制御を制御部１５３がメモリ１５５に展開されているプログラムに応じて実行される。
【００４８】
先ず、Ｓ２５１にて、ニュース情報画像生成に必要な情報待ち状態に入る。ここで、画像生成に必要な情報とは、日時情報、撮像画像の解像度情報等である。
次に、Ｓ２５２にて、画像生成に必要な情報を撮像装置１００から受信したか否かを確認し、受信していない場合（Ｎｏ）は再度受信待ち状態入る。
【００４９】
Ｓ２５２で画像生成に必要な情報を受信したことを確認したら、Ｓ２５３へ遷移して各種情報を内部に保持し、Ｓ２５４以降で取得情報に基づいてニュース画像の生成を行う。
Ｓ２５３へ遷移後、先ず撮像画像の解像度情報を取り出し一時的にメモリ１５５へ記憶する。
【００５０】
次に、Ｓ２５４にて、取得した日時情報に基づいたニュースコンテンツを自装置内の記録媒体１５４から取得する。ここで取得するコンテンツはＰＶ数が多いコンテンツや、発行日時・時刻が最新のニュースコンテンツ等、選定方法は様々あるが、ここでは発行日時・時刻が最新のニュースコンテンツを取得するものとする。
【００５１】
また、ニュース情報の取得基準をユーザに選択させるため、撮像装置１００で予め取得基準、例えばＰＶ数、発行日時・時刻などを設定する仕組みを備え、選択されている基準に応じて外部サーバ１５０から取得してもよい。
【００５２】
図５は、外部サーバ１５０が内部に持つニュースコンテンツに対する発行日時等のテーブルデータの例を示す図である。
ニュース見出し５０１は、各見出しに対するＩＤである。
発行日時５０２は、各ニュースコンテンツが発行された日時を示している。
カテゴリ５０３は、各ニュースコンテンツが属するカテゴリであり、予め定められた区分である。
ＰＶ数５０４は、各ニュースコンテンツが外部から参照された回数を示す値である。ＰＶ数５０４は、ニュースコンテンツ毎に外部サーバ１５０内で記録されており、コンテンツが参照される度に更新される値である。
【００５３】
本実施形態では、最新のニュースコンテンツ、即ち、取得した日時情報とテーブルデータ５００で管理されているニュースの発行日時５０２に基づいてニュースコンテンツの選択を行なう。ここで、最新のニュースはニュースコンテンツＡとなるので、ニュースコンテンツＡをニュース情報画像生成の対象とする。
【００５４】
ちなみに、ニュースコンテンツに関する詳細記事・写真については別途ニュース見出しに関連付けられ、外部サーバ１５０の記録媒体１５４に保持されているものとする。
次に、Ｓ２５５にて、外部サーバ１５０は、撮像画像の解像度情報に基づいて、撮像装置１００へ返送するニュースコンテンツＡの画像を生成する。
【００５５】
ここで、生成されるニュース情報画像について説明する。
図３は、フォトフレームでＳ２０１にて撮像した撮像画像３０１、及び外部サーバ１５０がここまでのフローで生成したニュース情報画像３０２を２枚同時に表示部１０６に表示する例を示した図である。
【００５６】
本実施形態では、撮像画像３０１及びニュース情報画像３０２を４：３、１６：９といった表示装置で比較的多く用いられるアスペクト比の画面に対し２枚を左右に並べて一画面に表示するケースを想定している。そのため、撮像画像３０１・ニュース情報画像３０２を２ｉｎ１表示した際にアスペクト比が４：３となるよう、撮像画像３０１の解像度に基づいて、生成するニュース情報画像３０２の解像度を決定する。これは、表示した際に夫々の画像がアスペクト比を保つために各画像が縮小することを抑えるためである。
【００５７】
ここでニュース情報画像を生成する方法について詳細に述べる。
本実施形態では、撮像画像と生成したニュース情報画像を、２ｉｎ１表示でスライドショー再生するケースを想定している。それらを同時に２枚表示した際のアスペクト比が、ニュース情報画像を撮像装置１００の表示部１０６や、デジタルフォトフレームのような表示装置のアスペクト比に合うようニュース情報画像の生成を行う。
【００５８】
ここでは例として、外部サーバ１５０が受信した撮像画像３０１の解像度情報が９００（横）×１４４０（縦）（ＷＸＧＡ＋解像度設定において縦撮りした場合）である場合。そして、生成する画像と撮像画像３０１を合わせて４：３のアスペクト比になるようニュース情報画像を生成するケースを考える。これに対し、横並びに画像を置いて４：３となる画像のサイズは１０２０×１４４０であり、このサイズのニュース情報画像を生成することによりアスペクト比が４：３となるように辻褄を合せる。
【００５９】
これらを横並びに２枚表示すると１９２０×１４４０となり、撮像画像３０１とニュース情報画像を２枚同時に表示した際、アスペクト比が４：３表示装置に適合したサイズとなる。この生成するニュース画像の解像度決定は、前述の通り撮像した画像の解像度に基づくものとする。また、ニュース情報画像の内容を自装置から取得する方法について、ニュース記事全文を取得する以外に、記事の見出しのみ、または記事に関連する写真があれば写真も併せて画像にしてもよい。
【００６０】
外部サーバ１５０は、ニュースコンテンツを配信するサーバであるため、ｈｔｍｌ形式で情報を保持している。見出しのみを抽出する際は、ニュース記事を構成するｈｔｍｌ情報から、＜ｔｉｔｌｅ＞タグ内に記載されている情報を見出しとみなし、この情報を取得し見出しに用いてもよい。
次に、Ｓ２５６にて、生成したニュース情報画像３０２を撮像装置１００へ返送し、処理を終了する。
【００６１】
この結果、適切なサイズのニュース情報画像３０２を受信した撮像装置１００では、表示部１０６に図３のような画面を表示することができるようになる。具体的には、撮像装置１００の操作部１１１を操作することで、ユーザは撮像装置１００を再生モードにすることができる。再生モードでは、記録媒体に記録されている撮像画像を表示部１０６に表示させることができる。
【００６２】
本実施形態の撮像装置１００では、この撮像画像を表示部１０６に表示する際に、例えば図３のように、関連するニュース情報画像３０２も一緒に表示することができる。なお、再生モードではユーザの指示に応じて、ニュース情報画像３０２を表示する／しないを切り替えることができる。
以上、本発明の好ましい実施形態について説明したが、本発明はこれらの実施形態に限定されず、その要旨の範囲内で種々の変形及び変更が可能である。
【００６３】
［その他の実施形態］
前述の実施形態では、ニュース情報画像の解像度をサーバで決定することについて述べた。これについては、サーバでは所定の解像度でニュース情報画像を生成してしまい、撮像装置側で解像度の変更を行ってもよい。
【００６４】
また、前述の実施形態では、ダミー画像にファイルネームを付与することで、ファイルネームに含まれる連番の確保を行う例について述べた。これについては、後になってニュース情報画像の受信が完了した場合に、対応する撮像画像の次の順番のファイルネームとなるよう、既に記録されている他の画像データのファイルネームをリネームするようにしてもよい。この場合、ダミー画像を用意する必要はない。
【００６５】
また、前述の実施形態では、ニュース情報画像を、撮像画像とは別ファイルとして保存する例について述べた。これについては、ニュース情報画像と撮像画像とを一つのファイルにまとめて保存してもよい。例えば、マルチピクチャーフォーマット（ＭＰＦ：Ｍｕｌｔｉ−Ｐｉｃｔｕｒｅ Ｆｏｒｍａｔ）のように、複数の画像データを一つのファイルとして記録できる形式を用いる。すなわち、ＭＰＦにおける代表画像（代表画像フラグが１に設定されている個別画像）を撮像画像、従属画像をニュース情報画像として記録する。この場合、ニュース画像は一つに限られない。これにより、いくつもの関連するファイルがばらばらに存在することを防ぎ、ファイルの扱いが煩雑にならずに済む。
【００６６】
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【図１】
2015033001.tif 000003
【図２】
2015033001.tif 000004
【図３】
2015033001.tif 000005
【図４】
2015033001.tif 000006
【図５】
2015033001.tif 000007